(57)【要約】【課題】犬の歯を磨く場合、人間が犬の唇をめくり、犬の成長や型にあった歯ブラシを入れ、安定した湾曲で歯ブラシにする必要があり、本考案は幼犬・小型犬・中型犬・大型犬など犬種別、犬の成長段階に対応したペット用歯ブラシを提供する。【解決手段】歯ブラシ本体を幼犬・小型犬・中型犬・大型犬など犬種別、犬の成長段階に対応して湾曲させたペット用歯ブラシとした。【選択図】図1
0003132021.tif 000002
【実用新案登録請求の範囲】
【請求項１】
歯ブラシ本体を凹状に湾曲してなることを特徴とするペット用歯ブラシ。
【請求項２】
上記歯ブラシ本体の先端ブラシ部分と、柄とが交差する凹状湾曲角度が20度から95度に形成したことを特徴とする請求項1に記載のペット用歯ブラシ。
【請求項３】
上記歯ブラシ本体のブラシ部分の毛先がペット種別と成長段階に対応して凸凹に形成したことを特徴とする請求項1に記載のペット用歯ブラシ。
【請求項４】
上記歯ブラシ本体のヘッド部分がペット種別と成長段階に対応した形状に形成したことを特徴とする請求項1から請求項3に記載のペット用歯ブラシ。
【請求項５】
上記歯ブラシ本体の歯ブラシ先端に布を巻きつけたことを特徴とする請求項1から請求項4に記載のペット用歯ブラシ。
【考案の詳細な説明】
【技術分野】
【０００１】
本考案は幼犬・小型犬・中型犬・大型犬など、犬種別、犬の成長、犬の大きさに対応してそれぞれの犬の歯と歯茎まで磨くことができるペット用歯ブラシに関する。
【背景技術】
【０００２】
犬は歯を磨くことが少なく、又幼犬の頃から磨く習慣をつけなければ、嫌がる犬になる。
【０００３】
また、ペットフードやおやつなどを犬に与えるので当然、歯垢や歯石などがつきやすく、又、歯ブラシの習慣をつけさせないと人間同様に口臭や歯肉炎になりやすいなどの不具合があった。
【考案の開示】
【考案が解決しようとする課題】
【０００４】
犬の歯を磨く場合、人間が犬の唇をめくり、犬の成長や型に合った歯ブラシを入れ、安定した湾曲で歯ブラシにする必要があり、本考案は幼犬・小型犬・中型犬・大型犬など犬種別、犬の成長段階に対応したペット用歯ブラシを提供する点である。
【課題を解決するための手段】
【０００５】
本考案では、歯ブラシ本体を凹状に湾曲して犬など動く動物でも歯を磨きやすくすることを特徴とするペット用歯ブラシであって、安定した湾曲の歯ブラシにする必要があり、上記歯ブラシ本体の先端ブラシ部分と、柄とが交差する最適な凹状湾曲角度を20度から85度に形成した。更に、上記歯ブラシ本体ブラシ部分の毛先がペット種別と成長段階対応して凸凹に形成した。また、上記歯ブラシ本体のヘッド部分がペット種別と成長段階に対応した形状に形成した。更には、上記歯ブラシ本体の歯ブラシ先端に布を巻きつけて効果的なブラッシングが可能なペット用歯ブラシが提供できた。
【考案の効果】
【０００６】
歯ブラシ本体を凹状に湾曲したので、犬は動きやすく、柄の部分を曲げることにより安定し、歯ブラシ効果があった。ペットの種別や成長や大きさに対応してそれぞれの、ペットの歯と歯茎まで磨くことができるペット用歯ブラシが提供できた。更に、上記歯ブラシ本体の先端ブラシ部分と、柄とが交差する凹状湾曲角度を20度から85度に形成したことにより、更に最適にペットの成長や型に合った安定した湾曲歯ブラシが提供可能になった。また、上記歯ブラシ本体ブラシ部分の毛先がペット種別と成長段階に対応して、凸凹に成長したことにより、ペットの歯と歯茎まで磨くことができるペット用歯ブラシを提供できた。更には、上記歯ブラシ本体のヘッド部分がペット種別と成長段階に対応した形状に形成したことにより、幼犬・小型犬・中型犬・大型犬など犬種別、犬の成長、大きさに対応して、それぞれの犬の歯と歯茎まで磨くことができるペット用歯ブラシとすることが出来た。更に加えて上記歯ブラシ本体の歯ブラシ先端に布のガーゼを巻きつけることにより口の中全体が包まれ、歯の表面や歯茎などに適用し吸着性があり、表面の汚れなど落ちやすくなる。本考案のブラシは全体的口に平行して歯磨きするタイプ(磨いてあげる)タイプで、口の大きさによってそれぞれ違うが柄の長さや角度など大きすぎない方が小回りがきき、歯磨き効果があった。
【考案を実施するための最良の形態】
【０００７】
本考案の特徴は口に平行して歯磨きするタイプ、磨いてあげるタイプで口の大きさや、ブラシの長さにも違いがあるが、柄の角度(歯ブラシ本体の先端ブラシ部分と、柄とが交差する凹状湾曲角度)は20度から80度がベストである。角度が小さ過ぎると、握りにくく歯を磨きにくい。逆に角度が大きすぎると握りにくく、安定感がなくなる。本考案では、歯ブラシ本体を凹状に湾曲して、幼犬・小型犬・中型犬・大型犬など、犬種別、犬の成長、犬の大きさに対応して、それぞれの犬の歯と歯茎まで磨くことができるペット用歯ブラシを提供可能にした。
【実施例】
【０００８】
図1は本考案に係る一実施例を示す説明図で、図中の称号1は歯ブラシ本体の長さを示し、仔犬用(パピー)と小型犬用では12ｃｍ、中型犬と大型犬用では13ｃｍとした。1aは歯ブラシ本体の先端ブラシ部分と、柄とが交差する凹状湾曲角度を示し、20度から85度に形成した。1bは歯ブラシ本体のブラシ部分の毛先幅を示し、1cは歯ブラシヘッドを、1kは歯ブラシ部分の長さを、称号1dは柄の把持部の長さを示している。以下図を参照して説明する。
【０００９】
図1に図示する如く本実施例では、歯ブラシ本体の先端ブラシ部分と、柄とが交差する凹状湾曲角度1aを実用可能な範囲の20度から85度に形成した。更にブラシ部分の毛先幅1bはペット種別と成長段階に対応して細くした。加えて、歯ブラシヘッド形状は、ペット種別と成長段階に対応した形状、例えば丸型に形成した。従って、仔犬用(パピー)の場合、ブラシ部分の長さ1kは仔犬用(パピー)1.5cm,小型犬用は2cm、中型犬用は2.5ｃｍ、大型犬用は3cmとした。ブラシ部分の幅1bは、仔犬用(パピー)は5mmに、小型犬と中型犬用は8mmに、大型犬用は1ｃｍとした。歯ブラシ本体の柄の把持部の長さ1dは、仔犬用(パピー)と小型犬用は5.5ｃｍ、中型犬と大型犬用は6ｃｍとした。
【００１０】
図2は本考案に係る他実施例を示す図である。本実施例が、前記実施例と異なる点は、ブラシ部分の毛先を、犬の歯に合わせて凸凹に形成して、口腔の大きさに合わせて、確実に磨きやすくしたことが特徴である。
【００１１】
図3は、歯ブラシ本体の歯ブラシ先端に布2を巻きつけて、確実に磨きやすくしたことである。
【産業上の利用可能性】
【００１２】
本考案に係るペット用の歯ブラシはサイズや材質を変えることによって犬のみならず、猫、ミニブタやポニーなど、各種ペット及び、人間用の幼児の仕上げ歯ブラシ、介護、入れ歯を洗ったりガーゼなどを巻いて、歯茎マッサージ、身体障害者や老人など湾曲仕様なので、喉につっかえなく、握りやすく適用できる。
【図面の簡単な説明】
【００１３】
【図１】本考案に係る第1実施例を示す説明図
【図２】本考案に係る第2実施を示す説明図
【図３】本考案に係る第3実施を示す説明図
【符号の説明】
【００１４】
1:歯ブラシ本体の長さ
1a:歯ブラシヘッド角(歯ブラシ本体の先端歯ブラシ部分と、柄とが交差する凹状湾曲角度)
1b:歯ブラシ本体のブラシ部分の毛先幅
1c:歯ブラシヘッド
1k:歯ブラシ本体のブラシ部分の長さ
1d:歯ブラシ本体の柄の把持部の長さ
2:ブラシの毛先
【図１】
0003132021.tif 000003
【図２】
0003132021.tif 000004
【図３】
0003132021.tif 000005